(57)【特許請求の範囲】
【請求項１】
信号変換手段及び光信号の伝送用の光信号線のコネクタが接続される接続部を有する第１筐体と、該第１筐体に積層結合される第２筐体とを備える信号変換装置において、
前記第２筐体は、
前記コネクタを摺動自在に保持する保持部を有し、
前記第１及び第２筐体が積層結合された場合、前記コネクタ及び接続部は、お互いに着脱可能な位置に対向して配置され、
前記コネクタを摺動させることにより、前記コネクタが前記接続部と着脱すべくなしてあることを特徴とする信号変換装置。
【請求項２】
前記保持部は、前記接続部の方向への摺動が可能な摺動部材と、該摺動部材を摺動させる被摺動部とを備えることを特徴とする請求項１に記載の信号変換装置。
【請求項３】
前記被摺動部は溝形をなし、前記摺動部材は、前記被摺動部に嵌合する嵌合部と前記コネクタを挟持する挟持部とを有することを特徴とする請求項２に記載の信号変換装置。
【請求項４】
信号変換手段及び光信号の伝送用の光信号線のコネクタが接続される接続部を有する第１筐体と、該第１筐体に積層結合される第２筐体とを備える信号変換装置において、
前記第１筐体は、
前記接続部を前記コネクタと着脱する方向に摺動可能な摺動部を備え、
前記第２筐体は、
前記コネクタを保持する保持部と、
前記摺動部に対応する被摺動部と
を備え、
前記第１筐体を摺動させることにより、前記コネクタが前記接続部と着脱すべくなしてあることを特徴とする信号変換装置。
【請求項５】
前記第１筐体は、前記第２筐体への結合側に、結合孔と前記摺動部としての凹部とを備え、前記第２筐体は、前記結合孔に挿入した状態で前記凹部が摺動可能な前記被摺動部としての凸部を有する結合突起を備えることを特徴とする請求項４に記載の信号変換装置。
【発明の詳細な説明】
【０００１】
【発明の属する技術分野】
本発明は、光信号と電気信号との変換を行う信号変換装置に関し、特に、大型化することなく光信号線の接続性を向上させた信号変換装置に関する。
【０００２】
【従来の技術】
従来、光信号線である光ファイバケーブル及び電気信号線であるＬＡＮケーブルを接続して、光信号と電気信号との変換を可能にしている信号変換装置には種々のものが存在している。
【０００３】
信号変換装置は、一般に建物の壁部等に取り付けて、外部より引き入れられる光ファイバケーブルを装置内部に引き込んで光接続を行うと共に、建物内に配索するＬＡＮケーブルの端末を接続し、建物内部のパーソナルコンピュータ等の各種電気機器へ光ファイバケーブルを介して各種情報の送受信を可能にしている。
【０００４】
図１３は、従来の一般的な信号変換装置１００の分解斜視図であり、アッパーケース１１０とロアケース１２０の内部に、光信号及び電気信号を相互に変換する信号変換用の基板１３０が収容される。基板１３０の横方は光ファイバケーブルＨの心線Ｈａを巻回状態で収納する収納部となっている。基板１３０には心線Ｈａの端末に融着したコネクタＣを接続するレセプタクル１３１を設けると共に、ＬＡＮケーブルＬの端末のモジュラージャックＬａを接続するＬＡＮポート１３２を設けている。なお、光ファイバケーブルＨは、光信号の伝達性維持のため屈曲時には、屈曲半径を２０ｍｍ以上に設定する必要があるため、前記収容部は２０ｍｍ以上の屈曲半径を確保できる寸法を有している。
【０００５】
なお、上述した光ファイバケーブルＨは、心線Ｈａの両側に２本のテンションメンバを平行に沿わせて被覆樹脂で被覆したタイプのものであり、光ファイバケーブルにはテンションメンバの付属しない同軸タイプのものも存在する。このような同軸タイプの光ファイバケーブルを図１３に示す信号変換装置１００に接続する場合、光ファイバケーブルの余長を収納する必要がない上、レセプタクル１３１が装置内部に設けてあるため、信号変換装置１００に同軸タイプの光ファイバケーブルを接続するのは不適切であり、信号変換装置１００とは異なる構成の信号変換装置が用いられることが多い。
【０００６】
【発明が解決しようとする課題】
従来の信号変換装置１００において、光ファイバケーブルＨの心線Ｈａの端末のコネクタＣをレセプタクル１３１に接続する場合、作業者がアッパーケース１１０を取り外して心線Ｈａを巻回させた後、コネクタＣをレセプタクル１３１に接続すべく、コネクタＣの位置決めを行ってからレセプタクル１３１に接続する作業を行わなければならない。このため、コネクタＣの接続の作業に時間及び手間がかかるという問題がある。
【０００７】
また、信号変換装置１００は、心線Ｈａにテンションメンバの付属したタイプの光ファイバケーブルＨとの接続を主目的として形成されているため、テンションメンバの付属しない同軸タイプの光ファイバケーブルを接続するのは困難である。このため、光ファイバケーブルを信号変換装置へ引き込むにあたって、上述した２つのタイプの光ファイバケーブルそれぞれに対応させて、２つのタイプの信号変換装置の製造を強いられる場合が多くなるという問題がある。
【０００８】
本発明は斯かる事情に鑑みてなされたものであって、その目的とするところは、光ファイバケーブルのコネクタを保持する保持部を備えることにより、コネクタを接続部に接続する作業を効率よく行うことができる信号変換装置を提供することにある。
【０００９】
また、本発明の他の目的は、光ファイバケーブルのコネクタを保持する保持部を備えることにより、テンションメンバの付属するタイプの光信号線だけでなく、テンションメンバの付属しない同軸タイプの光信号線であっても引き込むことができる信号変換装置を提供することにある。
【００１０】
【課題を解決するための手段】
第１発明に係る信号変換装置は、信号変換手段及び光信号の伝送用の光信号線のコネクタが接続される接続部を有する第１筐体と、該第１筐体に積層結合される第２筐体とを備える信号変換装置において、前記第２筐体は、前記コネクタを摺動自在に保持する保持部を有し、前記第１及び第２筐体が積層結合された場合、前記コネクタ及び接続部は、お互いに着脱可能な位置に対向して配置され、前記コネクタを摺動させることにより、前記コネクタが前記接続部と着脱すべくなしてあることを特徴とする。
【００１１】
第１発明においては、コネクタを接続部に対向させて保持する保持部を有することにより、作業者がコネクタの位置決めを行ってから接続部に接続する作業を行う必要がなくなり、コネクタを接続部に接続するために接続部に対向する位置にコネクタを保持させるだけで確実にコネクタ接続の作業を行うことができるので、作業効率がよい。また、テンションメンバを付属するタイプの光信号線だけでなく、テンションメンバの付属しない同軸タイプの光信号線であっても、保持部にコネクタを取り付けて、コネクタを接続部に対向させることができるので、１つのタイプの信号変換装置で２つのタイプの光信号線に対応でき、コストダウンをはかることができる。
【００１２】
第２発明に係る信号変換装置は、第１発明において、前記保持部は、前記接続部の方向への摺動が可能な摺動部材と、該摺動部材を摺動させる被摺動部とを備えることを特徴とする。
【００１３】
第２発明においては、保持部が接続部の方向への摺動が可能な摺動部材を備えることにより、第１筐体と第２筐体とを積層結合した状態にて、摺動部材を摺動することでコネクタを接続部に容易に接続することができる。
【００１４】
第３発明に係る信号変換装置は、第２発明において、前記被摺動部は溝形をなし、前記摺動部材は、前記被摺動部に嵌合する嵌合部と前記コネクタを挟持する挟持部とを有することを特徴とする。
【００１５】
第３発明においては、コネクタを挟持する摺動部材を溝形の被摺動部に沿って摺動することで、コネクタを接続部にスムーズに導いて、確実にコネクタの接続ができるので、組み立て作業の効率を高めることができる。
なお、摺動部材は前記コネクタを挟持する挟持部と溝形の摺動部を有し、被摺動部は前記摺動部に嵌合する嵌合部を有する形態であってもよい。
【００１６】
第４発明に係る信号変換装置は、信号変換手段及び光信号の伝送用の光信号線のコネクタが接続される接続部を有する第１筐体と、該第１筐体に積層結合される第２筐体とを備える信号変換装置において、前記第１筐体は、前記接続部を前記コネクタと着脱する方向に摺動可能な摺動部を備え、前記第２筐体は、前記コネクタを保持する保持部と、前記摺動部に対応する被摺動部とを備え、前記第１筐体を摺動させることにより、前記コネクタが前記接続部と着脱すべくなしてあることを特徴とする。
【００１７】
第４発明においては、第１筐体は接続部の接続方向への摺動部を備え、第２筐体は被摺動部を備えることにより、第１筐体自体を摺動して第２筐体へ結合することにより、第１筐体と第２筐体との結合と、コネクタの接続部への接続とを同時に行うことができ、組み立て作業性を向上することができる。
【００１８】
第５発明に係る信号変換装置は、第４発明において、前記第１筐体は、前記第２筐体への結合側に、結合孔と前記摺動部としての凹部とを備え、前記第２筐体は、前記結合孔に挿入した状態で前記凹部が摺動可能な前記被摺動部としての凸部を有する結合突起を備えることを特徴とする。
【００１９】
第５発明においては、第１筐体の結合孔に、第２筐体の結合突起を挿入した状態にて、第１筐体の凹部を、第２筐体の結合突起が有する凸部に摺動することで、第１筐体と第２筐体とを結合すると共に、コネクタを接続部に確実に接続することができるので、組み立て作業の効率を一段と高めることができる。また、結合突起の凸部が凹部に係合することにより、第１筐体と第２筐体との結合が強固になり、離脱を防止することができる。なお、結合孔は直線状だけでなく、屈曲した形状であってもよい。
【００２０】
【発明の実施の形態】
以下、本発明をその実施の形態を示す図面に基づいて説明する。
実施の形態１
図１は、本発明に係る信号変換装置であるメディアコンバータ１の実施の形態１の分解斜視図である。メディアコンバータ１は、信号変換手段を収容する第１筐体であるメインユニット２と、光ファイバケーブルＨを収納する第２筐体であるロアケース３とを備えている。メインユニット２は、直方体形状の端部の１つを切り欠いた形状をなしており、ロアケース３は、メインユニット２の切り欠いた形状に対応させてコネクタ保持部４を設けている。コネクタ保持部４は、摺動が可能な摺動部材４６（図２、３に図示）を有している。なお、光ファイバケーブルＨは、心線Ｈａの両側に２本のテンションメンバＴＭ、ＴＭを平行に沿わせて被覆樹脂Ｈｂで被覆したタイプのものである。
【００２１】
ロアケース３は、平面視で略矩形の底板部３１の周囲に、上方へ向かって延びる縁状の側壁３２を形成している。側壁３２の一方の短辺側壁部３２ａ及び一方の長辺側壁部３２ｂが交わる角部近傍は、コネクタ保持部４の外枠を形成するため、側壁３２よりも上方へメインユニット２の高さ分延設して、延設側壁部４１が形成されている。延設側壁部４１は上端に、ちょうどメインユニット２の切り欠いた箇所を塞ぐような略矩形の上板部４２を設けている。上板部４２の延設側壁部４１側の長辺側には、図２に示すように、側壁３２と同様の縁状の保持部側壁４３が下方へ向かって設けられている。また、延設側壁部４１の短辺側壁部３２ａから延設された側壁部分の端部には、溝４４が設けられている。
【００２２】
図２は、コネクタ保持部４とその近傍の正面図、図３は、図２のIII−III線の断面図である。上板部４２の下面側には、保持部側壁４３とほぼ同形の第１内側壁４５ａが、図３に示すように、保持部側壁４３に並設されている。また、底板部３１の上面側には、第１内側壁４５ａと上下に対向する位置に、第１内側壁４５ａと同形の第２内側壁４５ｂが設けられている。これにより、第１内側壁４５ａと保持部側壁４３との間、及び第２内側壁４５ｂと長辺側壁部３２ｂとの間に、上下に対向する凹溝４７ａ、４７ｂが形成されている。
【００２３】
凹溝４７ａ、４７ｂには、摺動部材４６が嵌合されている。摺動部材４６は、長辺が上板部４２の長辺よりも短い矩形の平板状の基部の対向する長辺側の端面に凸条４６ａ、４６ｂを凸設しており、凸条４６ａ、４６ｂが凹溝４７ａ、４７ｂに嵌合される嵌合部となっている。また、摺動部材４６は、コネクタＣの挟持部として、前記基部の、装置内側の面に、上下に対向する２枚の平板状の挟持部４６ｄ、４６ｅを有している。挟持部４６ｄと挟持部４６ｅとの間の寸法は、コネクタＣの接続圧に抗し得る挟持力を有する寸法に形成されている。
【００２４】
摺動部材４６の前記基部の、挟持部４６ｄ、４６ｅを有している面と反対側の面には、図２に示すように、連続した凸条部が適宜の本数凸設された滑り止め部４６ｃが形成されている。この滑り止め部４６ｃに、作業者が指先を当てて上板部４２の長辺方向へ押すことにより、摺動部材４６は、挟持部４６ｄ、４６ｅを摺動部、凹溝４７ａ、４７ｂを被摺動部として、凹溝４７ａ、４７ｂに沿って摺動することができ、このようにしてコネクタ保持部４が形成されている。
【００２５】
なお、図１に示すロアケース３の短辺側壁部３２ａの、コネクタ保持部４が設けられている角部付近には、光ファイバケーブルＨの引込部３３が設けられている。底板部３１上には、光ファイバケーブルＨ及びテンションメンバＴＭ、ＴＭの保持部材３４ａ、３４ｂがねじにより取り付けられている。
【００２６】
また、ロアケース３の側壁３２の内部は光ファイバケーブルＨの心線Ｈａを巻回状態で収納する収納部となっており、心線Ｈａを案内する逆Ｌ字形のガイド突起３５ａ、３５ａ…及び枠形のガイド突起３５ｂ、３５ｂが、底板部３１上の適宜の位置に配設されている。さらに、コネクタ保持部４の近傍には、心線Ｈａをコネクタ保持部４へ案内すべく、逆Ｊ字形のガイド突起３６が配設されている。
【００２７】
次に、図１に示すメインユニット２について説明する。図４は、メインユニット２の分解斜視図である。メインユニット２は、メインケース２１、信号変換手段である基板２２、アンダープレート２３により構成される。
【００２８】
アンダープレート２３は、図１に示したロアケース３の底板部３１と同形の略矩形の角の１つが切り欠かれた形状の底板部２３１の周囲に、縁状の側壁２３２を形成している。底板部２３１の上方には基板２２が載置される。基板２２は、底板部２３１とほぼ同形に形成された、光信号及び電気信号を相互に変換する信号変換用の基板である。基板２２上には、略矩形に切り欠かれて形成された短辺に沿って、心線Ｈａの接続部であるレセプタクル２２ａが、コネクタ保持部４と対向する向きに設けられている。また、基板２２上には、略矩形に切り欠かれた短辺に沿って、レセプタクル２２ａと同じ向きに、ＬＡＮケーブルＬの端末のモジュラージャックＬａを接続するＬＡＮポート２２ｂ、及び設定スイッチ部２２ｃが設けられている。
【００２９】
メインケース２１は、アンダープレート２３の底板部２３１と同形の上板部２１１の周囲に、下方へ向かって延びる側壁２１２を形成しており、側壁２１２は基板２２を覆うことができる高さを有している。また、側壁２１２は、レセプタクル２２ａ、ＬＡＮポート２２ｂの接続面、設定スイッチ部２２ｃの操作面を覆わないように、夫々の外形に相当する形状に切り欠かれている。このようなメインケース２１を、アンダープレート２３上の基板２２を上方から覆うように載置することにより、図１に示すように、略直方体の端部が切り欠かれた形状に組み立てられる。なお、メインユニット２の組み立ては、予め製造時等に行う。
【００３０】
以下に、メディアコンバータ１において、光ファイバケーブルＨをメディアコンバータ１内に引き込み、コネクタＣをレセプタクル２２ａに接続する方法について説明する。
【００３１】
まず、図１に示したように、光ファイバケーブルＨをロアケース３に収納する方法について説明する。光ファイバケーブルＨは作業性、後の設置場所変更等を考慮することにより余長部分を有しており、その余長部分の、ロアケース３の内側に引き込んで保持部材３４ａにより保持される箇所から端末に至るまでの部分の被覆樹脂Ｈｂを除去し、心線ＨａとテンションメンバＴＭ、ＴＭを露出させる。テンションメンバＴＭ、ＴＭは保持部材３４ｂに保持される箇所より端末側を切除する。
【００３２】
上述したように処理した光ファイバケーブルＨを、引込部３３からロアケース３の内部へ引き込み、保持部材３４ａにより保持させる。そして、露出した心線Ｈａを保持部材３４ｂに配置すると共に、心線Ｈａの両側のテンションメンバＴＭ、ＴＭを保持部材３４ｂにて保持させる。その後、テンションメンバ保持部材３４ｂにより配置された心線Ｈａの端末に、コネクタＣを融着する。
【００３３】
心線Ｈａの余長部分は、適宜の位置に配設されたガイド突起３５ａ、３５ａ…、及びガイド突起３５ｂ、３５ｂに引っ掛けることにより、２周分巻回するように案内される。そして、心線Ｈａを、ガイド突起３６に引っ掛けることにより、コネクタＣ近傍の心線Ｈａは、コネクタ保持部４へ案内される。
【００３４】
このようにして余長部分が収納された心線Ｈａの端末のコネクタＣを、図３に示すように、コネクタ保持部４の摺動部材４６の挟持部である挟持部４６ｄと挟持部４６ｅとの間に挟持させる。この際、図２に示したように、コネクタＣの先端を延設側壁部４１と反対側へ向け、さらに、先端を摺動部材４６から突出した状態に挟持させ、摺動部材４６を延設側壁部４１側に寄せておく。
【００３５】
上述したようにコネクタＣをコネクタ保持部４に取り付けた後、図１に示す形状に予め組み立てられているメインユニット２の端部の切り欠かれた形状の部分を、ロアケース３のコネクタ保持部４に嵌合させる。この状態において、メインユニット２をロアケース３の上に積層固定することにより、メディアコンバータ１全体として図５（ａ）に示すように略直方体形状に組み立てられる。
【００３６】
図５（ｂ）は、図５（ａ）に示す組み立て状態から、作業者が指先を摺動部材４６の滑り止め部４６ｃに当てて、対向するレセプタクル２２ａの方向へ押すことにより、摺動部材４６が摺動した後の状態である。摺動部材４６が、図３に示した凹溝４７ａ、４７ｂに沿って摺動するのに伴って、摺動部材４６に挟持されているコネクタＣはレセプタクル２２ａの方向へ誘導され、レセプタクル２２ａに接続される。このように、メディアコンバータ１は、コネクタＣとレセプタクル２２ａとの位置合わせに注意することなく短時間で容易にコネクタＣの接続作業ができるようにしている。
【００３７】
なお、本実施の形態においては、光ファイバケーブルＨとして、心線Ｈａの両側に２本のテンションメンバＴＭ、ＴＭを平行に沿わせて被覆樹脂Ｈｂで被覆したタイプのものを使用したが、テンションメンバの付属しない同軸タイプの光ファイバケーブルを使用することも可能である。この場合に、メディアコンバータ１を用いて光接続を行う方法について、以下に説明する。
【００３８】
同軸タイプの光ファイバケーブルの端末にコネクタを融着し、ロアケース３のコネクタ保持部４の摺動部材４６に、前記コネクタを、前述したコネクタＣと同様に挟持させ、図１に示すコネクタ保持部４の溝４４に前記光ファイバケーブルを挿通させる。そして、前述した場合と同様にメインユニット２をロアケース３の上に積層固定する。そして、図５に基づいて前述したように、摺動部材４６の滑り止め部４６ｃに作業者が指先を当てて、レセプタクル２２ａの方向へ押すことにより、摺動部材４６が摺動し、コネクタはレセプタクル２２ａに接続される。
【００３９】
実施の形態２
図６は、本発明に係る信号変換装置であるメディアコンバータ５の実施の形態２の分解斜視図である。
実施の形態２のメディアコンバータ５は、コネクタＣが、第２筐体であるロアケース７のコネクタ保持部８に固定保持され、信号変換手段を収容する第１筐体であるメインユニット６が摺動することによりコネクタＣが、基板６１に設けられたレセプタクル６２に接続される構成となっている。
【００４０】
ロアケース７は、実施の形態１のロアケース３と略同形の形状及び構成であるが、コネクタ保持部８の構成及び底板部７１の略中央に２つの結合突起７７、７７を有している点が異なる。具体的にはコネクタ保持部８の外枠を形成するため、側壁７２の一方の短辺側壁部７２ａ及び一方の長辺側壁部７２ｂが交わる角部近傍は、メインユニット６の切り欠かれた部分を連続するような略Ｌ字形の延設側壁部８１が形成されている。延設側壁部８１は上端に、メインユニット６の切り欠いた箇所を塞ぐような略矩形の上板部８２を有している。また、延設側壁部８１には、実施の形態１の溝４４と同形の溝８３が設けられている。
【００４１】
コネクタ保持部８は外枠の内部に、図７に示すように、延設側壁部８１の長辺側の面に、上下に対向する２枚の平板状の挟持部８４ａ、８４ｂを有している。挟持部８４ａと挟持部８４ｂとの間の寸法は、コネクタＣの接続圧に抗し得る挟持力を有する寸法に形成されており、このようにしてコネクタ保持部８が形成されている。
【００４２】
また、図６に示す底板部７１の略中央に凸設された結合突起７７、７７は、全体が、短辺側壁部７２ａと対向する短辺側壁部７２ｃ方向に折れ曲がるＬ字形状であり、短辺側壁部７２ａに平行な板状片である垂直部７７１、７７１の上端に、板状片である係合凸部７７２、７７２を水平方向に凸設させている。係合凸部７７２、７７２の底板部７１の短辺方向の幅は、垂直部７７１の底板部７１の短辺方向の幅よりも大きく形成されている。これにより、係合凸部７７２、７７２は長辺側壁部７２ｂ側の端部を垂直部７７１、７７１の端部よりも凸設させている。上記以外は、実施の形態１と同様の形状及び構成にしている。
【００４３】
次に、図６に示したメインユニット６について説明する。図８は、メインユニット６の分解斜視図である。メインユニット６は、実施の形態１のメインユニット２と略同形の形状及び構成であるが、アンダープレート６３の略中央部に結合孔９１、９１及び凹部９２、９２を有している点が異なる。アンダープレート６３は、実施の形態１のアンダープレート２３と同形の底板部６４と側壁６５とを有する。側壁６５は、底板部６４の形状に対応して、切り欠かれた角側の短辺側壁部６５ａ、これに対向する短辺側壁部６５ｃ、及び切り欠かれた角側の長辺側壁部６５ｂ、これに対向する長辺側壁部６５ｄを有している。
【００４４】
底板部６４の結合孔９１、９１は、ロアケース７の結合突起７７、７７を挿入する箇所に設けられている。図９の斜視図及び図１０の上面図に示すように、結合孔９１、９１は、底板部６４の長辺方向に延びる太幅部９１ａ、９１ａの短辺側壁部６５ｃ側の端部に、底板部６４の長辺側壁部６５ｄ方向に延びる連結部９１ｂ、９１ｂを連結させ、連結部９１ｂ、９１ｂの短辺側壁部６５ｃ側の端部に、短辺側壁部６５ｃ方向に延びる細幅部９１ｃ、９１ｃを連結させている。これにより、結合孔９１、９１は２回屈曲させた形状に形成されている。なお、太幅部９１ａ、９１ａは結合突起７７、７７を通過させて挿入できる寸法に形成されている。細幅部９１ｃ、９１ｃの幅は、結合突起７７、７７の垂直部７７１、７７１を挿入させて摺動でき、かつ、挿入状態において係合凸部７７２、７７２が係合できる寸法に形成されている。
【００４５】
また、結合孔９１、９１の長辺側壁部６５ｂ及び短辺側壁部６５ｃ側には、結合突起７７、７７を結合孔９１、９１に挿入した状態でメインユニット６を摺動すべく、結合孔９１に沿った形状の凹部９２が底板部６４に形成されている。なお、結合孔９１の凹部９２を形成した箇所は底板部６４の下面より凸設させてある。
【００４６】
このような構成により、メインユニット６は、実施の形態１のメインユニット２と同様にして、図６に示すように、略直方体の端部が切り欠かれた形状に組み立てられる。
【００４７】
以下に、メディアコンバータ５において、光ファイバケーブルＨをメディアコンバータ５内に引き込み、コネクタＣをレセプタクル６２に接続する方法について説明する。光ファイバケーブルＨのロアケース７への収納は実施の形態１と同様に行う。
【００４８】
実施の形態１と同様に余長部分が収納された心線Ｈａの端末のコネクタＣを、図７に示すように、コネクタ保持部８の挟持部８４ａと挟持部８４ｂとの間に挟持させる。この際、コネクタＣの先端をコネクタ保持部８から突出させた状態に挟持させる。
【００４９】
コネクタＣをコネクタ保持部８に挟持させることで固定した後、図６に示す形状に予め組み立てられているメインユニット６をロアケース７に、以下のようにして積層結合する。
【００５０】
メインユニット６をロアケース７の上方から覆うようにして、図１１（ａ）の上面図に示すように、ロアケース７の結合突起７７、７７をメインユニット６の底部の結合孔９１、９１の太幅部９１ａ、９１ａに挿入する。図中において、結合突起７７、７７はハッチングしている。この状態からメインユニット６を矢符Ａにて示すように、図中の下方向かつ左方向へ摺動させる。
【００５１】
摺動させることにより、図１１（ｂ）に示すように、係合凸部７７２、７７２が凹部９２、９２に係合した状態となる。この状態からメインユニット６を矢符Ｂにて示すように、図中の上方向から左方向へ連続的に摺動させて、結合突起７７、７７を結合孔９１、９１の連結部９１ｂ、９１ｂから細幅部９１ｃ、９１ｃへ摺動させる。
【００５２】
摺動させることにより、図１２に示すように、細幅部９１ｃ、９１ｃの端部の凹部９２、９２に、結合突起７７、７７の係合凸部７７２、７７２を係合し、メインユニット６はロアケース７に積層結合すると同時に、コネクタ保持部８がメインユニット６の切り欠かれた部分に嵌合され、コネクタＣはレセプタクル６２に接続する。このように、メディアコンバータ５は、コネクタＣとレセプタクル６２との位置合わせに注意することなく短時間で容易にコネクタＣの接続作業ができるようにしている。
【００５３】
また、係合凸部７７２、７７２が、凹部９２、９２に係合することにより、メインユニット６とロアケース７との結合が強固になり、離脱するのを防ぐようになっている。
【００５４】
なお、本実施の形態においては、光ファイバケーブルＨとして、心線Ｈａの両側に２本のテンションメンバＴＭ、ＴＭを平行に沿わせて被覆樹脂Ｈｂで被覆したタイプのものを使用したが、テンションメンバの付属しない同軸タイプの光ファイバケーブルを使用することも、実施の形態１の場合と同様に可能である。この場合に、メディアコンバータ５を用いて光接続を行う方法について、以下に説明する。
【００５５】
同軸タイプの光ファイバケーブルの端末にコネクタを融着し、ロアケース７のコネクタ保持部８の挟持部８４ａと挟持部８４ｂとの間に、前記コネクタを、前述したコネクタＣと同様に挟持させ、図６に示すコネクタ保持部８の溝８３に前記光ファイバケーブルを挿通させる。そして、図１１及び図１２に基づいて前述したように、メインユニット６のアンダープレート６３の結合孔９１、９１に、ロアケース７の結合突起７７、７７を挿入させてメインユニット６を摺動させることにより、メインユニット６がロアケース７に積層結合すると同時に、コネクタがレセプタクル６２に接続する。
【００５６】
また、本実施の形態においては、結合孔９１、９１は２回屈曲させた形状に形成されているが、この形状に限定されるものではなく、さらに屈曲させた形状、又は直線状であってもよい。
【００５７】
また、本実施の形態においては、メインユニット６が結合孔９１、９１及び凹部９２、９２を備え、ロアケース７が、係合凸部７７２、７７２を有する結合突起７７、７７を備えることにより、結合突起７７、７７が結合孔９１、９１に挿入した状態でメインユニット６を摺動させる形態としたが、これに限定するものではなく、例えば、以下に示す形態であってもよい。
【００５８】
図６に示すロアケース７が、側壁７２の長辺側壁部７２ｂ、及び長辺側壁部７２ｂに対向する長辺側壁部７２ｄの夫々の外側にさらに１枚ずつ外側壁部を設けることにより夫々２枚の側壁部の間に溝を備え、さらに前記溝の夫々の短辺側壁部７２ａ側の端に壁を設けるべく、短辺側壁部７２ａの両端を延設させて短辺延設側壁部を備える形状とする。また、メインユニット６は、図８に示すアンダープレート６３の側壁６５の長辺側壁部６５ｂ、６５ｄを下方に延設して形成され、ロアケース７が備える前記溝に嵌合することができる嵌合部を備える形状とする。
【００５９】
上述した形状により、アンダープレート６３の前記嵌合部の短辺側壁部６５ａ側の端部を、ロアケース７の前記溝の短辺側壁部７２ｃ側の端に嵌合する。そして、アンダープレート６３の前記嵌合部を、ロアケース７の前記溝に沿って短辺側壁部７２ａ側へ摺動させる。このように摺動させて、アンダープレート６３の前記嵌合部の短辺側壁部６５ａ側の端面を、ロアケース７の前記短辺延設側壁部に当接させる。これにより、メインユニット６をロアケース７に積層固定すると同時に、コネクタをレセプタクル６２に接続する。
【００６０】
さらに、本実施の形態のメディアコンバータ５が備えるメインユニット６の結合孔９１、９１、凹部９２、９２、及びロアケース７の係合凸部７７２、７７２を有する結合突起７７、７７、又は、上述したメインユニット６の前記嵌合部及びロアケース７の前記溝を、実施の形態１のメディアコンバータ１に適用することも可能である。
【００６１】
【発明の効果】
第１発明によれば、コネクタを接続部に対向させて保持する保持部を有することにより、作業者がコネクタの位置決めを行ってから接続部に接続する作業を行う必要がなくなり、コネクタを接続部に接続するために接続部に対向する位置にコネクタを保持させるだけで確実にコネクタ接続の作業を行うことができるので、作業効率がよい。また、テンションメンバを付属するタイプの光信号線だけでなく、テンションメンバの付属しない同軸タイプの光信号線であっても、保持部にコネクタを取り付けて、コネクタを接続部に対向させることができるので、１つのタイプの信号変換装置で２つのタイプの光信号線に対応でき、コストダウンをはかることができる。
【００６２】
第２発明によれば、保持部が接続部の方向への摺動が可能な摺動部材を備えることにより、第１筐体と第２筐体とを積層結合した状態にて、摺動部材を摺動することでコネクタを接続部に容易に接続することができる。
【００６３】
第３発明によれば、コネクタを挟持する摺動部材を溝形の被摺動部に沿って摺動することで、コネクタを接続部にスムーズに導いて、確実にコネクタの接続ができるので、組み立て作業の効率を高めることができる。
【００６４】
第４発明によれば、第１筐体は接続部の接続方向への摺動部を備え、第２筐体は被摺動部を備えることにより、第１筐体自体を摺動して第２筐体へ結合することにより、第１筐体と第２筐体との結合と、コネクタの接続部への接続とを同時に行うことができ、組み立て作業性を向上することができる。
【００６５】
第５発明によれば、第１筐体の結合孔に、第２筐体の結合突起を挿入した状態にて、第１筐体の凹部を、第２筐体の結合突起が有する凸部に摺動することで、第１筐体と第２筐体とを結合すると共に、コネクタを接続部に確実に接続することができるので、組み立て作業の効率を一段と高めることができる。また、結合突起の凸部が凹部に係合することにより、第１筐体と第２筐体との結合が強固になり、離脱を防止することができる。
【図面の簡単な説明】
【図１】本発明に係るメディアコンバータの実施の形態１の分解斜視図である。
【図２】コネクタ保持部とその近傍の正面図である。
【図３】図２のIII−III線の断面図である。
【図４】メインユニットの分解斜視図である。
【図５】メディアコンバータの斜視図である。
【図６】本発明に係るメディアコンバータの実施の形態２の分解斜視図である。
【図７】コネクタ保持部とその近傍を拡大した斜視図である。
【図８】メインユニットの分解斜視図である。
【図９】メインユニットが有する結合孔近傍の拡大図である。
【図１０】アンダープレートの上面図である。
【図１１】メディアコンバータの上面図である。
【図１２】メディアコンバータの上面図である。
【図１３】従来の信号変換装置の分解斜視図である。
【符号の説明】
１、５  メディアコンバータ（信号変換装置）
２、６  メインユニット（第１筐体）
２２、６１  基板（信号変換手段）
２２ａ、６２  レセプタクル（接続部）
３、７  ロアケース（第２筐体）
４、８  コネクタ保持部
４６  摺動部材
７７  結合突起
７７２係合凸部
９１  結合孔
９２  凹部
Ｃ  コネクタ
Ｈ  光ファイバケーブル
Ｈａ  心線
【図１】
0003808779.tif 000002
【図２】
0003808779.tif 000003
【図３】
0003808779.tif 000004
【図４】
0003808779.tif 000005
【図５】
0003808779.tif 000006
【図６】
0003808779.tif 000007
【図７】
0003808779.tif 000008
【図８】
0003808779.tif 000009
【図９】
0003808779.tif 000010
【図１０】
0003808779.tif 000011
【図１１】
0003808779.tif 000012
【図１２】
0003808779.tif 000013
【図１３】
0003808779.tif 000014